(57)【要約】【課題】アンテナの小型化を実現するとともに、インピーダンス整合及び放射効率を良くすることである。【解決手段】チップアンテナ１０は、誘電体の基体部１２と、グランド部２４に対向し、基体部１２の内部に設けられたスパイラル形状のアンテナ電極１１と、アンテナ電極１１に給電するための給電接続端子１３と、を備える。アンテナ電極１１の最外周の端を含む第１の辺部は、グランド部２４と所定距離をおいて最もグランド部２４側の位置に配置されている。給電接続端子１３は、グランド部２４と略垂直な方向に延びる辺部に接続されている。【選択図】図２
2011135124.tif 000002
【特許請求の範囲】
【請求項１】
誘電体、磁性体又は磁性誘電体の基体部と、
グランド部に対向し、前記基体部の内部に設けられたスパイラル形状のアンテナ電極と、
前記アンテナ電極に給電するための給電接続端子と、を備え、
前記アンテナ電極の最外周の端を含む第１の辺部又は最外周の端を含む前記第１の辺部に接続される第２の辺部が前記グランド部と所定距離をおいて最も前記グランド部側の位置に配置され、
前記給電接続端子は、前記グランド部と略垂直な方向に延びる辺部に接続されていることを特徴とするチップアンテナ。
【請求項２】
前記第１の辺部が前記グランド部側の位置に配置されることを特徴とする請求項１に記載のチップアンテナ。
【請求項３】
前記基体部、前記アンテナ電極及び前記給電接続端子の共振周波数は、通信に使用する周波数よりも高い周波数に調整されており、
前記共振周波数は、整合回路により前記通信に使用する周波数にシフトされることを特徴とする請求項１又は２に記載のチップアンテナ。
【請求項４】
前記基体部は、前記アンテナ電極の一部を露出する穴部を有することを特徴とする請求項１から３のいずれか一項に記載のチップアンテナ。
【請求項５】
前記基体部は、複数の層からなることを特徴とする請求項１から４のいずれか一項に記載のチップアンテナ。
【請求項６】
前記アンテナ電極は、基板部上に設けられているとともに、前記基体部に覆われていることを特徴とする請求項１から５のいずれか一項に記載のチップアンテナ。
【発明の詳細な説明】
【技術分野】
【０００１】
本発明は、チップアンテナに関する。
【背景技術】
【０００２】
従来、電子機器に設けられる無線通信用のアンテナが知られている。この電子機器は、例えば、携帯電話機等の携帯機器であり、アンテナの小型化の要請があった。
【０００３】
小型化を実現するためのアンテナとして、誘電体アンテナが知られている。誘電体アンテナは、アンテナ電極（アンテナエレメント）と、このアンテナ電極の周りに設けられた誘電体とを備える。この誘電体の比誘電率により生じる電波の波長短縮効果により、アンテナ長を短くして、誘電体アンテナを小型化することができる。
【０００４】
また、小型化を実現するための誘電体アンテナの構成として、アンテナ電極のパターンを立体的にしたり、多層化したアンテナ（多層ミアンダ、ヘリカル等）が知られている（例えば、特許文献１参照）。
【０００５】
また、小型化を実現するための誘電体アンテナの構成として、スパイラル形状のアンテナ電極を有するアンテナが知られている（（例えば、特許文献２参照）。
【先行技術文献】
【特許文献】
【０００６】
【特許文献１】特開平１１−２９７５３２号公報
【特許文献２】国際公開第０１／００６５９６号
【発明の概要】
【発明が解決しようとする課題】
【０００７】
しかし、従来のアンテナ電極を立体的又は多層化した誘電体アンテナでは、アンテナ電極の高い寸法精度及び高い生産技術が必要であった。
【０００８】
また、従来のスパイラル形状の誘電体アンテナは、アンテナ電極を同一平面に設けるので生産性はよい。しかし、スパイラル形状のアンテナ電極の先端を給電点にとっていた。このため、インピーダンス整合やアンテナ効率（放射効率）の点で劣化が大きかった。
【０００９】
本発明の課題は、アンテナの小型化を実現するとともに、インピーダンス整合及びアンテナ効率を良くすることである。
【課題を解決するための手段】
【００１０】
上記課題を解決するため、請求項１に記載の発明のチップアンテナは、
誘電体、磁性体又は磁性誘電体の基体部と、
グランド部に対向し、前記基体部の内部に設けられたスパイラル形状のアンテナ電極と、
前記アンテナ電極に給電するための給電接続端子と、を備え、
前記アンテナ電極の最外周の端を含む第１の辺部又は最外周の端を含む前記第１の辺部に接続される第２の辺部が前記グランド部と所定距離をおいて最も前記グランド部側の位置に配置され、
前記給電接続端子は、前記グランド部と略垂直な方向に延びる辺部に接続されていることを特徴とする。
【００１１】
請求項２に記載の発明は、請求項１に記載のチップアンテナにおいて、
前記第１の辺部が前記グランド部側の位置に配置されることを特徴とする。
【００１２】
請求項３に記載の発明は、請求項１又は２に記載のチップアンテナにおいて、
前記基体部、前記アンテナ電極及び前記給電接続端子の共振周波数は、通信に使用する周波数よりも高い周波数に調整されており、
前記共振周波数は、整合回路により前記通信に使用する周波数にシフトされることを特徴とする。
【００１３】
請求項４に記載の発明は、請求項１から３のいずれか一項に記載のチップアンテナにおいて、
前記基体部は、前記アンテナ電極の一部を露出する穴部を有することを特徴とする。
【００１４】
請求項５に記載の発明は、請求項１から４のいずれか一項に記載のチップアンテナにおいて、
前記基体部は、複数の層からなることを特徴とする。
【００１５】
請求項６に記載の発明は、請求項１から５のいずれか一項に記載のチップアンテナにおいて、
前記アンテナ電極は、基板部上に設けられているとともに、前記基体部に覆われていることを特徴とする。
【発明の効果】
【００１６】
本発明によれば、アンテナの小型化を実現できるとともに、インピーダンス整合及びアンテナ効率を良くすることができる。
【図面の簡単な説明】
【００１７】
【図１】本発明に係る実施の形態のチップアンテナ及び基板の斜視図である。
【図２】実施の形態のチップアンテナ及び基板の透視図である。
【図３】（ａ）は、実施の形態のチップアンテナの平面の透視図である。（ｂ）は、実施の形態のチップアンテナの側面の透視図である。
【図４】アンテナ電極及び給電接続位置としての第１〜第７の位置を示す図である。
【図５】第１〜第７の位置の給電時のチップアンテナの周波数に対するリターンロスを示す図である。
【図６】実施の形態のチップアンテナ及びその長さを示す図である。
【図７】（ａ）は、別のスパイラル形状の第１のチップアンテナの平面図である。（ｂ）は、別のスパイラル形状の第２のチップアンテナの平面図である。（ｃ）は、別のスパイラル形状の第３のチップアンテナの平面図である。（ｄ）は、別のスパイラル形状の第４のチップアンテナの平面図である。
【図８】実施の形態のチップアンテナ、別のスパイラル形状の第１〜第４のチップアンテナにおける周波数に対するリターンロスを示す図である。
【図９】実施の形態のチップアンテナにおけるアンテナ電極の高さを示す図である。
【図１０】アンテナ電極の高さを変化した場合の実施の形態のチップアンテナにおける周波数に対するリターンロスを示す図である。
【図１１】実施の形態のチップアンテナよりも高さが高いチップアンテナにおけるアンテナ電極の高さを示す図である。
【図１２】アンテナ電極の高さを変化した場合の実施の形態のチップアンテナよりも高さが高いチップアンテナにおける周波数に対するリターンロスを示す図である。
【図１３】（ａ）は、実施の形態のチップアンテナ及びグランド部の位置関係を示す図である。（ｂ）は、通常のスパイラル形状のチップアンテナ及びグランド部の位置関係を示す図である。
【図１４】チップアンテナとグランド部との間隔を変化した場合のチップアンテナにおける周波数に対するリターンロスを示す図である。
【図１５】（ａ）は、第１の変形例のチップアンテナの平面図である。（ｂ）は、（ａ）のXVb−XVb線における第１の変形例のチップアンテナの断面図である。
【図１６】（ａ）は、第２の変形例のチップアンテナの平面図である。（ｂ）は、第２の変形例のチップアンテナの側面図である。
【図１７】（ａ）は、第３の変形例のチップアンテナの平面図である。（ｂ）は、第３の変形例のチップアンテナの側面図である。
【発明を実施するための形態】
【００１８】
以下、添付図面を参照して本発明に係る実施の形態及び第１、第２、第３の変形例を順に詳細に説明する。ただし、発明の範囲は、図示例に限定されない。
【００１９】
図１〜図１４を参照して、本発明に係る実施の形態を説明する。先ず、図１〜図３を参照して、本実施の形態のチップアンテナ１０の装置構成を説明する。図１に、本実施の形態のチップアンテナ１０及び基板２０の斜視構成を示す。図２に、チップアンテナ１０及び基板２０の透視構成を示す。図３（ａ）に、チップアンテナ１０の平面の透視構成を示す。図３（ｂ）に、チップアンテナ１０の側面の透視構成を示す。
【００２０】
本実施の形態のチップアンテナ１０を、ＧＰＳ（Global Positioning System）通信用で共振周波数が１．５７５［ＧＨｚ］の無線アンテナとして説明する。しかし、これに限定されるものではなく、チップアンテナ１０を、他の通信規格や、他の共振周波数の無線アンテナとしてもよい。
【００２１】
図１及び図２に示すように、チップアンテナ１０は、基板２０に設けられている。基板２０は、例えば、携帯電話機、ＰＤＡ（Personal Digital Assistant）等、チップアンテナ１０を介する無線通信機能がある電子機器の内蔵基板である。
【００２２】
基板２０は、基板部２１と、給電経路部２２と、整合回路２３ａ，２３ｂと、グランド部２４と、を備える。基板部２１は、絶縁性を有する回路基板本体である。給電経路部２２は、基板部２１上に設けられ、チップアンテナ１０に給電するモジュール（図示略）からチップアンテナ１０までの給電経路である。給電経路部２２は、銅箔等の導体で構成されている。
【００２３】
整合回路２３ａは、給電経路部２２に直列に設けられ、チップアンテナ１０のインピーダンス整合をとるための回路部である。整合回路２３ｂは、給電経路部２２に並列に設けられ、チップアンテナ１０のインピーダンス整合をとるための回路部である。整合回路２３ａ，２３ｂは、例えば、インダクタにより構成される。
【００２４】
チップアンテナ１０は、共振周波数が通信に使用する周波数（１．５７５［ＧＨｚ］）よりも高い周波数に調整されている。整合回路２３ａ，２３ｂは、チップアンテナ１０の共振周波数を前記通信に使用する周波数にシフトする。グランド部２４は、基板部２１上に設けられ、接地された銅箔等の導体である。
【００２５】
図３（ａ）、図３（ｂ）に示すように、チップアンテナ１０は、アンテナ電極１１と、基体部１２と、給電接続端子１３と、設置用端子１４と、を有する。アンテナ電極１１は、導体からなり、最外周から中心に向けて半時計回りの角形のスパイラル形状を有するアンテナエレメントである。チップアンテナ１０は、最外周の端を含む直線状の辺部Ｓ１が、グランド部２４の上辺に平行で且つ所定距離離れた最も近い位置になるように配置されている。
【００２６】
基体部１２は、直方体形状の誘電体で構成されている。アンテナ電極１１、給電接続端子１３及び設置用端子１４は、基体部１２内部に設けられている。基体部１２の比誘電率は、例えば、８〜１５である。基体部１２は、例えば、ＬＣＰ（Liquid Crystal Polymer；液晶ポリマ）等の樹脂にセラミックが混合された構成を有する。
【００２７】
アンテナ電極１１がスパイラル形状を有することにより、基体部１２の誘電率による小型化効果が大きくなることから、基体部１２が低誘電率でも小型化でき、且つチップアンテナ１０（アンテナ電極１１）とグランド部２４との間の静電容量が軽減される。つまり、チップアンテナ１０は、省スペースでも放射効率（アンテナ効率）が劣化しにくいアンテナとなる。
【００２８】
給電接続端子１３は、アンテナ電極１１及び給電経路部２２に電気的に接続される導体であるとともに、基板部２１上でアンテナ電極１１を支持する。給電接続端子１３は、アンテナ電極１１の辺部Ｓ２の中央位置に接続されている。辺部Ｓ２は、アンテナ電極１１の最外周の端を含む直線状の辺部Ｓ１に接続されて且つグランド部２４の上辺に垂直（略垂直）な方向に延びる直線状の辺部である。給電接続端子１３とアンテナ電極１１との接続点を給電接続位置という。
【００２９】
設置用端子１４は、アンテナ電極１１に電気的に接続される導体であるとともに、基板部２１上でアンテナ電極１１を支持する。設置用端子１４は、アンテナ電極１１の辺部Ｓ２と逆側の辺部に接続されている。また、基体部１２のグランド部２４側の面と、グランド部２４の上辺との間隔は、０．３［ｍｍ］である。
【００３０】
次いで、図４及び図５を参照して、チップアンテナ１０の給電接続位置とアンテナ特性との関係について説明する。図４に、アンテナ電極１１と給電接続位置としての位置Ｐ１〜Ｐ７とを示す。図５に、位置Ｐ１〜Ｐ７での給電時のチップアンテナの周波数に対するリターンロスを示す。
【００３１】
図４に示すように、チップアンテナ１０のアンテナ電極１１における給電接続位置を位置Ｐ１〜Ｐ７まで変化させた場合の、チップアンテナのアンテナ効率（放射効率）と周波数に対するリターンロスとのシミュレーションを行った。
【００３２】
給電接続位置を位置Ｐ１〜Ｐ７まで変化したチップアンテナのアンテナ効率は、次表１のようになる。このアンテナ効率は、周波数１．５７５［ＧＨｚ］でのアンテナ効率である。
【表１】
2011135124.tif 000003
【００３３】
表１によると、アンテナ効率は、給電接続位置がスパイラル端としての位置Ｐ１から離れるほど良くなっている。しかし、図５に示すように、周波数に対するリターンロスは、給電接続位置が位置Ｐ６に近づくと狭帯域になってしまい、インピーダンス整合がとりにくくなってしまう。よって、給電接続位置が位置Ｐ３〜Ｐ５の辺りが、アンテナ効率及びインピーダンス整合の点からも良い特性が得られるといえる。従って、アンテナ電極１１において、位置Ｐ３〜Ｐ５に対応する辺部Ｓ２に給電接続位置があることが好ましい。
【００３４】
次に、図６を参照して、アンテナ形状と給電接続位置との関係を説明する。図６に、チップアンテナ１０及びその長さＬ１，Ｌ２を示す。
【００３５】
図６に示すように、チップアンテナ１０（基体部１２）における、グランド部２４の上辺に平行な方向の長さを長さＬ１とし、同じくグランド部２４の上辺に垂直な方向の長さを長さＬ２とする。本実施の形態のチップアンテナ１０は、Ｌ１＞Ｌ２の関係を有する。また、アンテナ電極１１の最外周の端から１番目の辺部（図上で下辺）、２番目の辺部（図上で右辺）、３番目の辺部（図上で上辺）を順に、辺部Ｓ１，Ｓ２，Ｓ３とする。
【００３６】
ここで、長さＬ１，Ｌ２を変化させ、Ｌ１＝Ｌ２とした形状のチップアンテナについても、アンテナ効率と周波数に対するリターンロスとのシミュレーションを行った。すると、辺部Ｓ２に給電接続位置をとった場合に、アンテナ効率とインピーダンス整合とが良好になった。同様に、辺部Ｓ１，Ｓ３に給電接続位置をとった場合に、アンテナ効率とインピーダンス整合とが劣化した。
【００３７】
また、長さＬ１，Ｌ２を変化させ、Ｌ１＜Ｌ２とした形状のチップアンテナについても、アンテナ効率と周波数に対するリターンロスとのシミュレーションを行った。すると、辺部Ｓ２に給電接続位置をとった場合に、アンテナ効率とインピーダンス整合とがやや良好になり、給電接続位置を辺部Ｓ２の中点にとった場合に、Ｌ１≧Ｌ２のチップアンテナと同様の効果が得られた。Ｌ１＜Ｌ２のチップアンテナにおいて、辺部Ｓ１，Ｓ３に給電接続位置をとった場合に、アンテナ効率とインピーダンス整合とが劣化した。
【００３８】
従って、チップアンテナについて、長さＬ１，Ｌ２を変化させた場合に限らず、辺部Ｓ２に給電接続位置をとった場合に、良好なアンテナ効率及びインピーダンス整合となる結果が得られた。
【００３９】
次に、図７及び図８を参照してチップアンテナのスパイラル形状とアンテナ特性との関係について説明する。図７（ａ）に、チップアンテナ１０Ａの平面構成を示す。図７（ｂ）に、チップアンテナ１０Ｂの平面構成を示す。図７（ｃ）に、チップアンテナ１０Ｃの平面構成を示す。図７（ｄ）に、チップアンテナ１０Ｄの平面構成を示す。図８に、チップアンテナ１０Ａ〜１０Ｄ，１０における周波数に対するリターンロスを示す。
【００４０】
ここでは、チップアンテナ１０と、チップアンテナ１０のアンテナ電極１１と異なるスパイラル形状のアンテナ電極のチップアンテナ１０Ａ，１０Ｂ，１０Ｃ，１０Ｄと、を比較する。チップアンテナ１０Ａ，１０Ｂ，１０Ｃ，１０Ｄは、チップアンテナ１０と同様に、基体部１２、給電接続部１３（、設置用端子１４）を備えるものとする。また、図７（ａ）〜図７（ｄ）では、図１、図２のチップアンテナ１０と同様に、チップアンテナ１０Ａ，１０Ｂ，１０Ｃ，１０Ｄの下側にグランド部２４が配置されているものとする。
【００４１】
図７（ａ）に示すように、チップアンテナ１０Ａは、アンテナ電極１１Ａと、基体部１２と、給電接続端子１３と、を有する。アンテナ電極１１Ａは、平面上で、最外周から中心に向かって反時計回りのスパイラル形状を有し、最外周の端を含む直線状の辺部が図上で右側にある形状を有する。図７（ｂ）に示すように、チップアンテナ１０Ｂは、アンテナ電極１１Ｂと、基体部１２と、給電接続端子１３と、を有する。アンテナ電極１１Ｂは、平面上で、最外周から中心に向かって時計回りのスパイラル形状を有し、最外周の端を含む直線状の辺部が図上で左側にある形状を有する。
【００４２】
図７（ｃ）に示すように、チップアンテナ１０Ｃは、アンテナ電極１１Ｃと、基体部１２と、給電接続端子１３と、を有する。アンテナ電極１１Ｃは、平面上で、最外周から中心に向かって時計回りのスパイラル形状を有し、最外周の端を含む直線状の第１の辺部が図上で右側にある形状を有する。アンテナ電極１１Ｃにおいて、最外周の端を含む直線状の第１の辺部に接続される直線状の第２の辺部が、グランド部２４と所定距離をおいて最もグランド部２４側の位置に配置されている。
【００４３】
図７（ｄ）に示すように、チップアンテナ１０Ｄは、アンテナ電極１１Ｄと、基体部１２と、給電接続端子１３と、を有する。アンテナ電極１１Ｄは、平面上で、最外周から中心に向かって反時計回りのスパイラル形状を有し、最外周の端を含む直線状の辺部が図上で左側にある形状を有する。アンテナ電極１１Ｄにおいて、最外周の端を含む直線状の第１の辺部に接続される直線状の第２の辺部が、グランド部２４と所定距離をおいて最もグランド部２４側の位置に配置されている。また、チップアンテナ１０Ａ，１０Ｂ，１０Ｃ，１０Ｄのアンテナ電極１１Ａ，１１Ｂ，１１Ｃ，１１Ｄに対する給電接続端子１３は、図上でアンテナ電極１１Ａ，１１Ｂ，１１Ｃ，１１Ｄの最外周の右辺部の中点に接続されている。この最外周の右辺部は、グランド部２４の上辺と垂直（略垂直）な方向に延びる辺部である。
【００４４】
チップアンテナ１０Ａ，１０Ｂ，１０Ｃ，１０Ｄと、チップアンテナ１０とについて、アンテナ効率と、周波数に対するリターンロスとのシミュレーションを行った。チップアンテナ１０Ａ，１０Ｂ，１０Ｃ，１０Ｄと、チップアンテナ１０とにおけるアンテナ効率は、次表２のようになる。このアンテナ効率は、周波数１．５７５［ＧＨｚ］でのアンテナ効率である。
【表２】
2011135124.tif 000004
【００４５】
表２によると、アンテナ効率は、チップアンテナ１０Ｂ，１０Ｄ，１０で良い。一方、図８に示すように、周波数に対するリターンロス（インピーダンス整合）は、チップアンテナ１０Ａ，１０Ｃ，１０で良く、チップアンテナ１０Ａで最も良い。アンテナ効率及びインピーダンス整合の両方を考慮すると、本実施の形態のチップアンテナ１０が最も良好であり、チップアンテナ１０Ｃ，１０Ｄも好ましいことが分かる。チップアンテナ１０Ｂでは、アンテナ効率は良いが、リターンロスが良くない（狭帯域である）。
【００４６】
次いで、図９及び図１０を参照して、チップアンテナ１０の基体部１２におけるアンテナ電極１１の高さとアンテナ特性との関係を説明する。図９に、チップアンテナ１０におけるアンテナ電極１１の高さを示す。図１０に、アンテナ電極１１の高さを変化した場合のチップアンテナ１０における周波数に対するリターンロスを示す。
【００４７】
図９に示すように、チップアンテナ１０の基体部１２におけるアンテナ電極１１の高さを高さＨ１〜Ｈ７まで変化させた場合の、アンテナ効率と周波数に対するリターンロスとのシミュレーションを行った。基体部１２の下面から上面まで、高さＨ１〜Ｈ７をとる。また、基体部１２の高さは、１［ｍｍ］であるものとする。
【００４８】
高さＨ１〜Ｈ７を変化したチップアンテナ１０のアンテナ効率は、次表３のようになる。このアンテナ効率は、周波数１．５７５［ＧＨｚ］でのアンテナ効率である。
【表３】
2011135124.tif 000005
【００４９】
表３によると、アンテナ効率は、アンテナ電極１１の高さが低いと悪いが、高くなる程良くなっている。つまり、高さＨ７においてチップアンテナ１０のアンテナ効率が最も良い。しかし、図１０に示すように、周波数に対するリターンロスは、高さＨ２，Ｈ３，Ｈ４，Ｈ５のときに、良い結果が得られている。高さＨ１では、リターンロスが図１０の周波数の範囲外（２［ＧＨｚ］以上）に共振部分（落ち込み部分）があり、整合回路２３ａ，２３ｂにより、その共振部分を通信用の周波数（１．５７５［ＧＨｚ］）にシフトさせるのが困難である。このため、アンテナ効率及びインピーダンス整合を考慮すると、アンテナ電極１１の高さは、基体部１２の中心付近（高さＨ３，Ｈ４）から上面に出ない位置（高さＨ２）までにするのが良い。
【００５０】
次いで、図１１及び図１２を参照して、チップアンテナ１０よりも高さが高いチップアンテナ１０Ｅにおけるアンテナ電極１１の高さとアンテナ特性との関係を説明する。図１１に、チップアンテナ１０Ｅにおけるアンテナ電極１１の高さを示す。図１２に、アンテナ電極１１の高さを変化した場合のチップアンテナ１０における周波数に対するリターンロスを示す。
【００５１】
図１１に示すように、チップアンテナ１０Ｅは、アンテナ電極１１と、基体部１２Ｅと、を有する。基体部１２Ｅの高さＡｈは、３［ｍｍ］（基体部１２の３倍）である。基体部１２Ｅにおけるアンテナ電極１１の高さを０．７Ａｈ〜１．０Ａｈまで変化させたチップアンテナ１０Ｅの周波数に対するリターンロスのシミュレーションを行った。
【００５２】
図１２に示すように、リターンロスは、アンテナ電極１１の高さが１．０Ａｈのときに最も広帯域となる。しかし、高さが１．０Ａｈの共振部分を、通信用の１．５７５［ＧＨｚ］にシフトさせることよりも、高さが０．７Ａｈ、０．８Ａｈの共振部分を１．５７５［ＧＨｚ］にシフトさせることの方が容易であり、現実的である。このため、アンテナ電極１１の高さが１．０Ａｈ（基体部１２Ｅの上面）の場合は、アンテナ電極１１の高さが０．７Ａｈ〜０．９Ａｈ（少しでも基体部１２Ｅの内部に存在）の場合に比べて、小型化の点で劣っていることが分かる。なお、基体部の高さが５［ｍｍ］のチップアンテナも、チップアンテナ１０Ｅと同様の結果が得られた。
【００５３】
次いで、図１３及び図１４を参照して、アンテナ電極とグランド部との間隔とアンテナ特性との関係を説明する。図１３（ａ）に、チップアンテナ１０及びグランド部２４の位置関係を示す。図１３（ｂ）に、チップアンテナ１０Ｆ及びグランド部２４の位置関係を示す。図１４に、チップアンテナ１０，１０Ｆとグランド部２４との間隔を変化した場合のチップアンテナにおける周波数に対するリターンロスを示す。
【００５４】
図１３（ａ）に示すように、チップアンテナ１０のグランド側の面と、グランド部２４の上辺との間隔をｄとする。同様に、図１３（ｂ）に示すように、チップアンテナ１０Ｆのグランド側の面と、グランド部２４の上辺との間隔をｄとする。チップアンテナ１０Ｆは、アンテナ電極１１Ｅと、基体部１２とを有する。アンテナ電極１１Ｅは、通常のスパイラル形状である。つまり、アンテナ電極１１Ｅの端点が給電接続されている。
【００５５】
チップアンテナ１０，１０Ｆにおいて、間隔ｄを１．０、３．０、５．０［ｍｍ］と変化させた場合の、アンテナ効率と周波数に対するリターンロスとのシミュレーションを行った。
【００５６】
間隔ｄを変化したチップアンテナ１０，１０Ｆのアンテナ効率は、次表４のようになる。このアンテナ効率は、周波数１．５７５［ＧＨｚ］でのアンテナ効率である。
【表４】
2011135124.tif 000006
【００５７】
表４によると、アンテナ効率は、チップアンテナ１０Ｆよりもチップアンテナ１０の方が良好である。また、図１４に示すように、チップアンテナ１０，１０Ｆのチップアンテナの周波数に対するリターンロスは、間隔ｄ＝５．０［ｍｍ］で０．１ｄＢ程度の差しかないため、これ以上離した場合は、チップアンテナ１０に比べてリターンロスが有利なチップアンテナ１０Ｆの方が良好となる。
【００５８】
以上、本実施の形態によれば、チップアンテナ１０は、基体部１２と、グランド部２４に対向し、基体部１２の内部に設けられたスパイラル形状のアンテナ電極１１と、アンテナ電極１１に給電するための給電接続端子１３と、を備える。アンテナ電極１１の最外周の端を含む辺部Ｓ１は、グランド部２４と所定距離をおいて最もグランド部２４側の位置に配置されている。給電接続端子１３は、アンテナ電極１１の最外周の端から２番目の辺部Ｓ２に接続されている。このため、基体部１２とアンテナ電極１１のスパイラル形状とにより、チップアンテナ１０の小型化を実現できるとともに、アンテナ電極１１が同一平面でスパイラル形状を有することにより、生産性を高めることができ、辺部Ｓ２に給電接続端子１３が接続されることにより、インピーダンス整合及びアンテナ効率を良くすることができる。
【００５９】
また、基体部１２内部にアンテナ電極１１を設けることにより、効果的に誘電率の小型化の効果が得られ、誘電率を上げすぎなくても所望のアンテナ特性が得られる。このことから、静電容量増加による放射効率（アンテナ効率）の劣化が抑えられる。
【００６０】
また、チップアンテナ１０の共振周波数が、通信に使用する周波数よりも高い周波数に調整されており、整合回路２３ａ，２３ｂにより、チップアンテナ１０の共振周波数を前記通信に使用する周波数にシフトする。このため、チップアンテナ１０をより小型化できる。
【００６１】
また、チップアンテナ１０Ｃは、アンテナ電極１１Ｃと、基体部１２と、給電接続端子１３と、を備える。チップアンテナ１０Ｄは、アンテナ電極１１Ｄと、基体部１２と、給電接続端子１３と、を備える。アンテナ電極１１Ｃ又は１１Ｄの最外周の端を含む第１の辺部に接続されている第２の辺部は、グランド部２４と所定距離をおいて最もグランド部２４側の位置に配置されている。給電接続端子１３は、アンテナ電極１１Ｃ又は１１Ｄの最外周の、グランド部２４と垂直（略垂直）な方向に延びる辺部に接続されている。このため、チップアンテナ１０Ｃ，１０Ｄでは、チップアンテナ１０と同様に、基体部１２とアンテナ電極１１Ｃ又は１１Ｄのスパイラル形状とにより、チップアンテナ１０の小型化を実現できる。また、アンテナ電極１１Ｃ又は１１Ｄが同一平面でスパイラル形状を有することにより、生産性を高めることができる。また、グランド部２４と垂直（略垂直）な方向に延びる辺部に給電接続端子１３が接続されることにより、インピーダンス整合及びアンテナ効率を良くすることができる。
【００６２】
（第１の変形例）
図１５を参照して、上記実施の形態の第１の実施例を説明する。図１５（ａ）に、本変形例のチップアンテナ１０ａの平面構成を示す。図１５（ｂ）に、図１５（ａ）のXVb−XVb線におけるチップアンテナ１０ａの断面構成を示す。
【００６３】
上記実施の形態のチップアンテナ１０は、アンテナ電極１１の上面及び下面が基体部１２により覆われている構成であった。本変形例は、チップアンテナ１０をチップアンテナ１０ａに代えた構成を有する。チップアンテナ１０ａは、アンテナ電極１１の上面及び下面に覆われていない部分を有する構成である。
【００６４】
図１５（ａ）、図１５（ｂ）に示すように、チップアンテナ１０ａは、アンテナ電極１１と、基体部１２ａと、給電接続端子１３と、を有する。アンテナ電極１１は、基体部１２ａの内部に設けられている。基体部１２ａは、アンテナ電極１１の下面に穴部１２１を有し、アンテナ電極１１の上面に穴部１２２，１２３，１２４を有する。
【００６５】
以上、本変形例によれば、チップアンテナ１０ａにより、チップアンテナ１０と同様の効果を奏するとともに、穴部１２１，１２２，１２３，１２４の分、基体部１２ａの材料を低減でき、チップアンテナ１０ａを軽量化できる。
【００６６】
（第２の変形例）
図１６を参照して、上記実施の形態の第２の実施例を説明する。図１６（ａ）に、本変形例のチップアンテナ１０ｂの平面構成を示す。図１６（ｂ）に、チップアンテナ１０ｂの側面構成を示す。
【００６７】
上記実施の形態のチップアンテナ１０は、基体部１２が単一の部材（一層）からなる構成であった。本変形例は、チップアンテナ１０をチップアンテナ１０ｂに代えた構成を有する。チップアンテナ１０ｂは、アンテナ電極１１を境にして、基体部が２層に分かれている構成を有する。なお、基体部は、３層以上としてもよい。
【００６８】
図１６（ａ）、図１６（ｂ）に示すように、チップアンテナ１０ｂは、アンテナ電極１１と、基体部１２ｂ１，１２ｂ２と、給電接続端子１３と、を有する。アンテナ電極１１は、基体部１２ｂ１，１２ｂ２の内部に設けられている。基体部１２ｂ１は、アンテナ電極１１の下面側に配置されている。基体部１２ｂ２は、アンテナ電極１１の上面側に配置されている。基体部１２ｂ１の比誘電率と、基体部１２ｂ２の比誘電率とは、異なる値としてもよいし、同じ値としてもよい。
【００６９】
以上、本変形例によれば、チップアンテナ１０ｂにより、チップアンテナ１０と同様の効果を奏する。また、基体部１２ｂ１，１２ｂ２の厚さ（基板部２１に垂直な方向の長さ）を異にする構成としてもよい。
【００７０】
（第３の変形例）
図１７を参照して、上記実施の形態の第３の実施例を説明する。図１７（ａ）に、本変形例のチップアンテナ１０ｃの平面構成を示す。図１７（ｂ）に、チップアンテナ１０ｃの側面構成を示す。
【００７１】
上記実施の形態のチップアンテナ１０は、アンテナ電極１１の上面及び下面が基体部１２により覆われている構成であった。本変形例は、チップアンテナ１０、グランド部２４を、チップアンテナ１０ｂ、グランド部２４ｃに代えた構成を有する。チップアンテナ１０ｃは、アンテナ電極１１を基板部２１に取り付けた構成である。
【００７２】
図１７（ａ）に示すように、チップアンテナ１０ｃは、アンテナ電極１１と、基体部１２ｃと、給電接続端子１３と、を有する。基板２０ｃは、基板部２１と、給電経路部２２と、グランド部２４ｃと、を有する。図１７（ｂ）に示すように、アンテナ電極１１は、基板部２１の面上に設けられている。基体部１２ｃは、アンテナ電極１１の上面を覆うように設けられている。また、グランド部２４ｃは、チップアンテナ１０ｃの取り付け側と逆側の面に設けられている。つまり、チップアンテナ１０ｃとグランド部２４ｃとの間に基板部２１を介する位置関係の構成である。この位置関係は、チップアンテナ１０と、グランド部２４との位置関係に対応させたものである。このように、基板部２１を利用したチップアンテナ１０ｃとしてもよい。
【００７３】
以上、本変形例によれば、チップアンテナ１０ｃにより、チップアンテナ１０と同様の効果を奏するとともに、基板部２１を有効活用でき、チップアンテナを容易に製造できる。
【００７４】
なお、上記実施の形態及び各変形例における記述は、本発明に係るチップアンテナの一例であり、これに限定されるものではない。
【００７５】
上記実施の形態、各変形例の少なくとも２つを適宜組み合わせることとしてもよい。例えば、チップアンテナ１０Ｃ，１０Ｄに、各変形例の構成を組み合わせる構成としてもよい。また、上記実施の形態では、チップアンテナが設置用端子１４を有する構成としたが、これに限定されるものではなく、設置用端子１４が無い構成としてもよい。
【００７６】
また、上記実施の形態、各変形例において、基体部を誘電体であるものとして説明したが、これに限定されるものではない。基体部を磁性体又は磁性誘電体としてもよい。基体部を磁性体又は磁性誘電体とした場合も、磁性体の比透磁率、又は磁性誘電体の比誘電率及び比透磁率により、波長短縮効果が発生し、チップアンテナを小型化できる。
【００７７】
その他、上記実施の形態、各変形例におけるチップアンテナの細部構成及び詳細動作に関しても、本発明の趣旨を逸脱しない範囲で適宜変更可能である。
【符号の説明】
【００７８】
１０，１０Ａ，１０Ｂ，１０Ｃ，１０Ｄ，１０Ｅ，１０Ｆ，１０ａ，１０ｂ，１０ｃ  チップアンテナ
１１，１１Ａ，１１Ｂ，１１Ｃ，１１Ｄ  アンテナ電極
Ｓ１，Ｓ２  辺部
１２，１２Ｅ，１２ａ，１２ｂ１，１２ｂ２，１２ｃ  基体部
１３  給電接続端子
１４  設置用端子
２０，２０ｃ  基板
２１  基板部
２２  給電経路部
２３ａ，２３ｂ  整合回路
２４，２４ｃ  グランド部
【図１】
2011135124.tif 000007
【図２】
2011135124.tif 000008
【図３】
2011135124.tif 000009
【図４】
2011135124.tif 000010
【図５】
2011135124.tif 000011
【図６】
2011135124.tif 000012
【図７】
2011135124.tif 000013
【図８】
2011135124.tif 000014
【図９】
2011135124.tif 000015
【図１０】
2011135124.tif 000016
【図１１】
2011135124.tif 000017
【図１２】
2011135124.tif 000018
【図１３】
2011135124.tif 000019
【図１４】
2011135124.tif 000020
【図１５】
2011135124.tif 000021
【図１６】
2011135124.tif 000022
【図１７】
2011135124.tif 000023